(57)【要約】【課題】化粧皿に係合される係合片のバネ力と、化粧皿を安定保持するために押圧する押圧片のバネ力を個別に設定することが可能な化粧料容器を提供する。【解決手段】化粧皿７の外周面の互いに対向する側に、それぞれ第１係合凹部１１および第２係合凹部１２を設け、化粧皿収納部２の内周面の一方の側に、第１係合凹部に係合可能な第１係合突起１３を設けるとともに、内周面の一方の側と対向する側に、第１スリット１６により一端を自由端として弾性変形可能に区画形成され、第２係合凹部に係合可能な第２係合突起１４が設けられた係合片１５と、係合片から離間させた位置に、第２スリット１７により一端を自由端として弾性変形可能に区画形成され、第２係合突起よりも少ない突出量に設定されて化粧皿を第１係合突起の方向に押圧する凸部１９が設けられた押圧片１８とを備える。【選択図】図３
2007014498.tif 000002
【特許請求の範囲】
【請求項１】
化粧皿が係合自在に装着される化粧皿収納部が形成された容器本体と、該容器本体に開閉自在に蝶着される蓋体とを備えた化粧料容器であって、
上記化粧皿の外周面の互いに対向する側に、それぞれ第１係合凹部および第２係合凹部を設け、
上記化粧皿収納部の内周面の一方の側に、上記第１係合凹部に係合可能な第１係合突起を設けるとともに、
上記化粧皿収納部の内周面の、上記一方の側と対向する側に、
第１スリットにより一端を自由端として弾性変形可能に区画形成され、上記第２係合凹部に係合可能な第２係合突起が設けられた係合片と、
該係合片から離間させた位置に、第２スリットにより一端を自由端として弾性変形可能に区画形成され、上記第２係合突起よりも少ない突出量に設定されて上記化粧皿を上記第１係合突起の方向に押圧する凸部が設けられた押圧片とを備えた
ことを特徴とする化粧料容器。
【発明の詳細な説明】
【技術分野】
【０００１】
本発明は、化粧皿収納部が容器本体に形成された化粧容器に関し、特に、化粧皿の外周面に係合される係合片のバネ力と、化粧皿を安定保持するために押圧する押圧片のバネ力とを個別に設定することが可能な化粧料容器に関する。
【背景技術】
【０００２】
交換可能な化粧皿が係合自在に装着される化粧皿収納部が容器本体に形成されており、当該化粧皿が、装着された状態で安定的に保持される化粧料容器として、例えば特許文献１に開示されたものが知られている。
【０００３】
特許文献１の化粧料容器は、容器本体と、この容器本体に開閉自在に蝶着される蓋体とを備え、容器本体内に化粧皿を収納するようにした化粧料容器であって、容器本体内に隔壁を介して２つの収納部を形成し、その一方を化粧皿収納部として形成する一方、化粧皿の外周に係合溝を形成し、隔壁の化粧皿収納部側内面に、化粧皿の係合溝に係合可能な第１係合突起を形成する。さらに、化粧皿収納部の隔壁に対向する側の内面には、上下方向に延びる縦スリットによって両側を区画形成された複数の係合片（「爪」）が形成され、当該係合片の下端は、自由端に形成されるとともに、その内面に化粧皿の係合溝に係合可能な第２係合突起が形成されている。これらの係合片間は、下端が自由端であり、係合片よりも大きなバネ力を有する弾性変形可能な押圧片（「保持壁」）となっており、当該押圧片の内面には、第２係合突起よりも少ない突出量を有する凸部が突設されている。この凸部は、化粧皿の係合溝が第１および第２係合突起に係合されて化粧皿が化粧皿収納部に装着された状態で、化粧皿を第１係合突起方向に押圧することによって、化粧皿の係合状態を安定的に保持するようになっている。
【０００４】
また、化粧皿を化粧皿収納部に装着する際には、化粧皿の下端が第２係合突起の上面に押し当たり、係合片の下端側を外側に弾性変形させて押し開きつつ、化粧皿が上方から押し込まれてゆく。化粧皿を化粧皿収納部から離脱させる際には、まず化粧皿の外周面によって、凸部を介して押圧片を外側に押圧して押し開くことによって、化粧皿を隔壁の反対側へと水平移動させ、これにより第１係合突起と係合溝との係合を解除し、当該第１係合突起側が上方となるように斜めに傾けつつ化粧皿を持ち上げて離脱させるようになっている。
【特許文献１】特許第３５６１５６０号公報
【発明の開示】
【発明が解決しようとする課題】
【０００５】
ところで、上記背景技術にあっては、係合片と押圧片の、弾性変形しやすさ、あるいは化粧皿を押圧し返す強さを示すバネ力は、押圧片の方が大きくなるように設定されているが、実際には、係合片や押圧片の形状や位置、寸法などによってそれらのバネ力は変化するため、必ずしも背景技術と同じように、押圧片のバネ力が係合片のバネ力よりも大きくなるよう設定する必要はない。しかしながらいずれにせよ、化粧皿を化粧皿収納部に装着する際、および装着されて安定保持される際、および離脱させる際などの各場合において、それぞれのバネ力が適切な強さとなるよう設定する必要があった。
【０００６】
具体的には例えば、係合片については、化粧皿を装着する操作がスムーズとなるために適度に柔軟に外側に弾性変形するように、他方で、第２係合突起と係合溝との係合がたやすく解除されないために過度に容易に外側に弾性変形しないように、適度なバランスのバネ力を有するように設定する必要がある。また、押圧片については、化粧皿が化粧皿収納部に装着された状態では化粧皿を安定保持するために過度に容易に外側に弾性変形しないように、他方で、化粧皿を離脱させる操作がスムーズとなるために適度に柔軟に外側へ弾性変形するように、係合片とは異なる適度なバランスのバネ力を有するように設定する必要がある。
【０００７】
ところが、上記背景技術にあっては、押圧片は、「爪（係合片）間を・・・保持壁（押圧片）とし」と記載されている（請求項１）ように、複数の係合片を形成することによりその間に自動的に形成されるようになっている。すなわち、係合片と押圧片とは、同一の縦スリットによって区画形成されるようになっている。そのため、係合片のバネ力を設定するために縦スリットの長さを調整すると、自動的に、押圧片のバネ力も設定されてしまうようになっており、その結果、係合片や押圧片のバネ力をそれぞれ個別に設定することができなかった。
【０００８】
本発明は上記従来の課題に鑑みて創案されたものであって、化粧皿収納部が容器本体に形成された化粧容器であって、化粧皿の外周面に係合されるな係合片のバネ力と、化粧皿を安定保持するために押圧する押圧片のバネ力とを個別に設定することが可能な化粧料容器を提供することを目的とする。
【課題を解決するための手段】
【０００９】
本発明にかかる化粧料容器は、化粧皿が係合自在に装着される化粧皿収納部が形成された容器本体と、該容器本体に開閉自在に蝶着される蓋体とを備えた化粧料容器であって、上記化粧皿の外周面の互いに対向する側に、それぞれ第１係合凹部および第２係合凹部を設け、上記化粧皿収納部の内周面の一方の側に、上記第１係合凹部に係合可能な第１係合突起を設けるとともに、上記化粧皿収納部の内周面の、上記一方の側と対向する側に、
第１スリットにより一端を自由端として弾性変形可能に区画形成され、上記第２係合凹部に係合可能な第２係合突起が設けられた係合片と、該係合片から離間させた位置に、第２スリットにより一端を自由端として弾性変形可能に区画形成され、上記第２係合突起よりも少ない突出量に設定されて上記化粧皿を上記第１係合突起の方向に押圧する凸部が設けられた押圧片とを備えたことを特徴とする。
【発明の効果】
【００１０】
本発明にかかる化粧料容器にあっては、化粧皿の外周面に係合される係合片のバネ力と、化粧皿を安定保持するために押圧する押圧片のバネ力とを個別に設定することが可能となる。
【発明を実施するための最良の形態】
【００１１】
以下に、本発明にかかる化粧料容器の好適な実施形態を、添付図面を参照して詳細に説明する。第１の実施形態にかかる化粧料容器１は、図１〜図５に示すように、凹状の化粧皿収納部２が形成された容器本体３と、内側に鏡４が設けられた蓋体５とから主に構成される。化粧皿収納部２には、化粧料６が充填される化粧皿７が着脱自在に取り付けられ、これにより化粧皿７の交換（レフィル）が可能となっている。容器本体３の、化粧皿収納部２よりも前端側には凹状の化粧用具収納部８が形成されており、例えばブラシなどの化粧用具がここに収納される。
【００１２】
本実施形態の容器本体３および蓋体５は、いずれも合成樹脂製であって、その平面形状は四隅が円弧をなすほぼ矩形状である。容器本体３に形成された化粧皿収納部２と化粧用具収納部８の平面形状も、同様に四隅が円弧をなすほぼ矩形状である。また、容器本体３の化粧皿収納部２および化粧用具収納部８の外側は周壁３ａによって囲繞されており、化粧皿収納部２と化粧用具収納部８との間は隔壁３ｂによって区画されている。隔壁３ｂの中央部には化粧皿７の着脱操作に利用する、操作用切り欠き部３ｃが形成されている。
【００１３】
容器本体３と蓋体５との間には、容器本体３を開閉するために当該容器本体３に対して蓋体５を回動自在に蝶着する蝶番機構９が設けられている。この蝶番機構９は、容器本体３の後端側周壁３ａに一対突設された蝶番ブロック９ａ間に、蓋体５に形成された蝶番片９ｂが挟み込まれ、これら蝶番ブロック９ａから蝶番片９ｂにわたって、蝶番ピン９ｃが挿通されて構成されており、蝶番片９ｂが蝶番ブロック９ａに対し蝶番ピン９ｃ周りに回動されるようになっている。
【００１４】
また容器本体３と蓋体５との間には、蝶番機構９と反対側（化粧料容器１の前端側）に、容器本体３の閉止状態を維持するためのフック機構１０が設けられている。このフック機構１０は、容器本体３の前端側周壁３ａの中央付近に形成されたフック凹所１０ａと、当該フック凹所１０ａの後端側壁面に設けられたフック用突起１０ｂと、蓋体５の前端から突出され上記フック用突起１０ｂに係脱自在に係合されるフック１０ｃとから構成される。
【００１５】
化粧皿７は、やはり合成樹脂で形成され、その平面形状は化粧皿収納部２の内周面に沿った、ほぼ矩形状である。化粧皿７は、この化粧皿収納部２内に上方から押し込まれて装着される。化粧皿７の、化粧料容器１の前端側（以下、単に前端側という）の下端部７ａ、および化粧料容器１の後端側（以下、単に後端側という）の下端部７ｂは、斜めに切りかかれている。
【００１６】
化粧皿７の外周面の前端側（以下、前端側外周面７ｃという）には縦断面が矩形で凹状の第１係合凹部１１が左右に２つ形成されている。前端側外周面７ｃに対向する後端側（以下、後端側外周面７ｄという）には、第１係合凹部１１と同様の寸法・形状を有する第２係合凹部１２が左右に２つ形成されている。
【００１７】
化粧皿収納部２の内周面の一方の側である前端側（以下、前端側内周面２ａという）には、各第１係合凹部１１に対応する位置に、これら各第１係合凹部１１に係合可能な２つの第１係合突起１３が形成されている。これら第１係合突起１３は化粧皿収納部２の内周面と一体的に突出形成されており、その縦断面形状は、ほぼ第１係合凹部１１に沿った矩形状であるが、その上面は先端側（後端側）にかけて下降するよう斜めに切り欠かれている。
【００１８】
化粧皿収納部２の内周面の、前端側内周面２ａに対向する後端側（以下、後端側内周面２ｂという）には、その中央部から左右に等距離の位置に、上記各第２係合凹部１２に係合可能な第２係合突起１４がそれぞれ一体的に突出形成された２つの係合片１５が設けられている。これら各係合片１５は、それぞれコの字状の第１スリット１６によって、下端を自由端として、また上端の根元部分を基点として弾性変形可能に区画形成されている。各第１スリット１６は、各係合片１５の幅を決定する第１横スリット部分１６ａと、各係合片１５の上下寸法を決定する左右の第１縦スリット部分１６ｂとから構成されている。第１横スリット部分１６ａは、化粧皿収納部２の後端側内周面２ｂの下端に沿って位置しており、その結果、係合片１５の下端部は、化粧皿収納部２の底面２ｃの若干上方、すなわち第１横スリット部分１６ａの幅寸法（上下寸法）だけ底面２ｃから上方に位置している。各第２係合突起１４は、各係合片１５の上下方向中程に形成されており、各第２係合突起１４の縦断面形状は、ほぼ第２係合凹部１２に沿った矩形状であるが、その上面は先端側（前端側）にかけて下降するよう斜めに切りかかれている。また、左右２つの第１スリット１６同士の間には、各第１横スリット部分１６ａを内側（後端側内周面２ｂの中央側）に延長させる形で、化粧皿収納部２の底面２ｃに面する横長のスリットが形成されている。
【００１９】
後端側内周面２ｂの中央部には、２つの係合片１５から離間させた位置に、コの字状の第２スリット１７によって、上端を自由端として、また下端の根元部分を基点として弾性変形可能に区画形成された押圧片１８が設けられている。押圧片１８の上端中央部分には、化粧皿７を第１係合突起１３の方向、すなわち前端側に押圧するための凸部１９が一体的に突出形成されている。凸部１９の縦断面は横長の矩形状である。押圧片１８全体の上下方向位置は、後端側内周面２ｂの上下寸法の中程である。結果的に、凸部１９は、係合片１５上に形成された各第２係合突起１４よりも上方に位置している。第２スリット１７は、押圧片１８の横幅を決定する第２横スリット部分１７ａと押圧片１８の上下寸法を決定する左右の第２縦スリット部分１７ｂとから構成されている。第２横スリット部分１７ａの長さは、上記第１スリット１６の第１横スリット部分１６ａよりも長く設定されている。
【００２０】
係合片１５および押圧片１８は、化粧皿収納部２の外側や内側、すなわち本実施形態にあっては後端側や前端側へ、それぞれの根元部分を基点に弾性変形可能に形成されている。その弾性変形しやすさを示す力であるとともに、化粧皿７によって弾性変形させたときに化粧皿７を押し返す力でもあるバネ力は、第１スリット１６および第２スリット１７の、それぞれ第１縦スリット部分１６ｂおよび第２縦スリット部分１７ｂの長さ寸法を調節することにより、その強さを設定することができる。また、係合片１５と押圧片１８とは、互いに離間させた位置に形成されており、互いに別個独立のスリット、すなわちそれぞれ第１スリット１６および第２スリット１７によりそれぞれ区画形成されているので、係合片１５と押圧片１８のバネ力は個別に設定することが可能となっている。別の言い方をすれば、後端側内周面２ｂの、係合片１５と押圧片１８との間に位置する部分が両者の緩衝部２ｄとして機能し、係合片１５のバネ力と押圧片１８のバネ力とが互いに影響し合うことがないようになっている。
【００２１】
化粧皿７の前後方向の寸法や、各係合突起１３、１４および凸部１９の化粧皿７側への突出量などは、以下のように設定されている。すなわち、化粧皿７が化粧皿収納部２に装着された状態では、押圧片１８の凸部１９が化粧皿７の後端側外周面７ｄに当接し、化粧皿７を前端側へと押圧して、化粧皿７の前端側外周面７ｃを化粧皿収納部２の前端側内周面２ａにぴったりと当接させている。このとき、各第１係合突起１３は各第１係合凹部１１内に係合される。この状態において、押圧片１８は、ほぼ後端側にも前端側にも弾性変形していない状態である（図４参照）。またその際、化粧皿７の後端側外周面７ｄと化粧皿収納部２の後端側内周面２ｂとの間には、凸部１９の突出量だけ間隙が存在しているが、係合片１５に設けられた各第２係合突起１４は、凸部１９よりも大きい突出量に設定されているので、当該間隙部内を通過して各第２係合凹部１２内まで突出し、係合されている。
【００２２】
次に、本実施形態にかかる化粧料容器１の作用について説明する。化粧皿７を化粧皿収納部２に装着する際には、化粧皿７を上方から化粧皿収納部２に挿入し、化粧皿７の前端側下端部７ａおよび後端側下端部７ｂがそれぞれ第１係合突起１３および第２係合突起１４の各上面に当接した状態から、さらに押し込んでゆく。すると、後端側では、化粧皿７の後端側下端部７ｂ、続いて後端側外周面７ｄが各第２係合突起１４を押圧し、各係合片１５を後端側に弾性変形させて押し開く。他方、前端側では、化粧皿７の前端側下端部７ａや前端側外周面７ｃが第１係合突起１３上を摺動しつつこれをかわし、化粧皿７が下降してゆく。この際、化粧皿７の前端側下端部７ａおよび後端側下端部７ｂと、各第１、第２係合突起１３、１４の上面はいずれも斜めに下降するよう切り欠かれているため、化粧皿７をスムーズに下方に押し込むことができる。またこの際、必要であれば、各第２係合突起１４よりも上方に位置する凸部１９をも化粧皿７によって押圧し、押圧片１８を後端側へと弾性変形させて押し開く。
【００２３】
以上のように下降させた化粧皿７は、各第１係合突起１３および各第２係合突起１４が、それぞれ第１係合凹部１１および第２係合凹部１２の高さに位置した時点で、各係合片１５が弾性復帰し、各第２係合突起１４が各第２係合凹部１２に係合するとともに、各第１係合突起１３が各第１係合凹部１１に係合することによって、化粧皿収納部２内に装着される。
【００２４】
ここで、化粧皿７を下降させる操作がスムーズなものとなるために、各係合片１５は適度に柔軟に後端側に弾性変形しうるバネ力に設定されていることが好ましいが、他方で係合が容易に離脱されないように適度に後端側に弾性変形しにくくなっていることが好ましい。すなわち、係合片１５を区画形成する第１スリット１６の寸法を調整することによって、係合片１５が適度なバランスのバネ力を有するよう設定されることが好ましい。
【００２５】
各係合突起１３、１４が各係合凹部１１、１２に係合されて化粧皿７が化粧皿収納部２に装着された状態では、押圧片１８の凸部１９が化粧皿７の後端側外周面７ｄを押圧することによって、化粧皿７を前端側に押圧し、化粧皿７の前端側外周面７ｃが化粧皿収納部２の前端側内周面２ａにぴったりと当接され、その結果、各第１、第２係合突起１３、１４と各第１、第２係合凹部１１、１２とが係合される。
【００２６】
また、化粧皿７を化粧皿収納部２から離脱させる際には、まず隔壁３ｂに形成された操作用切り欠き部３ｃを利用して化粧皿７を後端側へと水平に移動させ、凸部１９を化粧皿７によって押圧して押圧片１８を後端側に弾性変形させて押し開き、前端側の、各第１係合突起１３と各第１係合凹部１１との係合を解除しつつ（図５参照）、化粧皿７の第１係合突起１３側が上方となるように、化粧皿７を斜めに傾けつつ持ち上げて離脱させる。
【００２７】
ここで、化粧皿７が化粧皿収納部２に装着された状態において、化粧皿７を前後方向にがたつきを生じることなく安定に保持するためには、押圧片１８によって化粧皿７が十分に強い力で押圧されること、すなわち押圧片１８が後端側へ過度に容易に弾性変形してしまわないバネ力を有することが好ましい。しかしながら他方で、化粧皿７を化粧皿収納部２から離脱させる際には、その操作がスムーズなものとなるために、適度に柔軟に後端側に弾性変形することが好ましい。すなわち、押圧片１８を区画形成する第２スリット１７の寸法を調整することによって、押圧片１８が、係合片１５とは異なる適度なバランスのバネ力を有するよう設定されることが好ましい。
【００２８】
以上説明したように本実施形態にかかる化粧料容器１にあっては、化粧皿７の互いに対向する前端側外周面７ｃおよび後端側外周面７ｄにそれぞれ第１係合凹部１１および第２係合凹部１２を設け、化粧皿収納部２の内周面の前端側に第１係合凹部１１に係合可能な第１係合突起１３を設けるとともに、化粧皿収納部２の内周面の前端側と対向する後端側に、第１スリット１６により下端を自由端として弾性変形可能に区画形成され、第２係合凹部１２に係合可能な第２係合突起１４が設けられた係合片１５と、当該係合片１５から緩衝部２ｄを介して離間させた位置に、第２スリット１７により上端を自由端として弾性変形可能に区画形成され、第２係合突起１４よりも少ない突出量に設定されて化粧皿７を第１係合突起１３の方向すなわち前端側に押圧する凸部１９が設けられた押圧片１８とを備えることとしたので、それぞれ第１スリット１６と第２スリット１７の寸法を調整することによって、係合片１５と押圧片１８とがそれぞれ適切な強さのバネ力を有するよう、両者のバネ力を個別に設定することが可能となる。
【００２９】
次に、本発明にかかる化粧料容器１の各変形例について示す。各図面において、第１の実施形態と同一あるいは同等の構成要素については同一の符号を付している。第１の実施形態と差異がない部分については説明を省略する。
【００３０】
図６には、本発明にかかる化粧料容器１の第２の実施形態が示されている。この変形例にあっては、化粧皿収納部２の後端側内周面２ｂの中央部に設けられた押圧片１８が、第１実施形態と上下方向に逆向きに形成されている。すなわち、第２スリット１７によって、下端を自由端として、また上端の根元部分を基点として弾性変形可能に区画形成されている。また、押圧片１８の上下方向位置は、第１実施形態のように後端側内周面２ｂの上下方向中程ではなく、２つの係合片１５と同様、後端側内周面２ｂの下端に位置している。すなわち、本実施形態では、各係合片１５および押圧片１８の下端部いずれもが、化粧皿収納部２の底面２ｃの若干上方、すなわち第１横スリット部分１６ａの幅寸法（上下寸法）だけ底面２ｃから上方に位置している。また、各係合片１５を区画形成する左右２つの第１スリット１６と、押圧片１８を区画形成する第２スリット１７との間には、各横スリット部分１６ａ、１７ａを延長させる形で、化粧皿収納部２の底面２ｃに面する横長のスリットが形成されている。凸部１９は、押圧片１８の下端中央部分に一体的に突出形成されている。このような変形例にあっても上記第１の実施形態と同様の作用、効果を奏することはもちろんである。
【００３１】
図７には、本発明にかかる化粧料容器１の第３の実施形態が示されている。この変形例にあっては、化粧皿収納部２の後端側内周面２ｂの中央部に係合片１５が設けられており、当該係合片１５から左右等距離の位置に離間させて、２つの押圧片１８が設けられている。係合片１５は、第２実施形態における押圧片１８と同様、下端を自由端として第１スリット１６によって区画形成され、後端側内周面２ｂの下端に面して形成されている。係合片１５上に一体的に突出形成された第２係合突起１４は、係合片１５の下端よりも若干上方、すなわち第１、第２実施形態における各第２係合突起１４と同一の高さ位置に設けられている。各押圧片１８は、第１実施形態における押圧片１８と同様、上端を自由端として第２スリット１７によって区画形成され、後端側内周面２ｂの上下方向中程に形成されている。各凸部１９は、各押圧片１８の上端中央に突出形成されている。また本実施形態にあっては、各押圧片１８の横幅を決定する第２スリット１７の第２横スリット部分１７ａの長さが、係合片１５の横幅を決定する第１スリット１６の第１横スリット部分１６ａよりも小さく設定されている。このような変形例にあっても上記第１の実施形態と同様の作用、効果を奏することはもちろんである。
【００３２】
図８には、本発明にかかる化粧料容器１の第４の実施形態が示されている。この変形例にあっては、化粧皿収納部２の後端側内周面２ｂの中央部に設けられた押圧片１８は、第１実施形態と同様、第２スリット１７によって上端を自由端として、後端側内周面２ｂの上下方向中程に区画形成されている。凸部１９は、第１実施形態と同様、押圧片１８の上端中央に突出形成されている。押圧片１８から左右等距離の位置に緩衝部２ｄを介して離間させて設けられた２つの係合片１５は、それぞれ第１スリット１６により、横向きに区画形成されている。具体的には各係合片１５は、それぞれ外側の端部を自由端として、また内側の端部を基点として弾性変形可能に区画形成されている。各係合片１５の上下方向位置は、後端側内周面２ｂの上下方向中程である。各第２係合突起１４は、各係合片１５の上下方向中程よりも若干下方かつ下端よりも若干上方、すなわち第１、第２実施形態における各第２係合突起１４と同一の高さに設けられている。このような変形例にあっても上記第１の実施形態と同様の作用、効果を奏することはもちろんである。
【００３３】
図９には、本発明にかかる化粧料容器１の第５の実施形態が示されている。この変形例にあっては、化粧皿収納部２の後端側内周面２ｂの中央部に設けられた押圧片１８のみが第４実施形態と異なり、上下方向に逆向きに形成されている。すなわち、押圧片１８は、第２スリット１７によって下端を自由端として、後端側内周面２ｂの上下方向中程に区画形成されている。凸部１９は、押圧片１８の下端に突出形成されている。このような変形例にあっても上記第１の実施形態と同様の作用、効果を奏することはもちろんである。
【００３４】
上記各実施形態において、第１スリットや第２スリットの形状は、いずれもコの字状としたが、これに限定されるものではなく、例えば半円形、Ｕ字形、Ｖ字形などであってもよい。そのような場合であっても、上記各実施形態と同様、第１スリットと第２スリットの寸法を個別に調整することによって、係合片と押圧片のバネ力を個別に設定することが可能となる。また、上記いずれの実施形態においても、第１、第２係合凹部、および第１、第２係合突起は、常に同じ高さ位置に設けられていたが、これに限定されるものではなく、様々な高さ位置に設けられてよい。また、各係合凹部や各係合突起、凸部の形状なども上記各実施形態のものに限定されるわけではなく、様々な形状であってよい。また、上記いずれの実施形態においても、化粧皿収納部の後端側内周面の中央部とその左右両側に係合片や押圧片を配置することとしたが、このような配置に限定されるものではなく、また、両者の数も特に限定はされない。また、上記各実施形態においては、第１係合凹部及び第１係合突起を化粧料容器の前端側に、第２係合凹部や係合片、押圧片などを化粧料容器の後端側に設けることとしたが、これに限定されるものではなく、少なくともこれらが互いに対向する側に設けられていればよい。
【図面の簡単な説明】
【００３５】
【図１】本発明にかかる化粧料容器の第１実施形態を示す分解斜視図である。
【図２】図１の化粧料容器の、蓋体を閉止した状態の縦断面図である。
【図３】図１の化粧料容器の、Ａ−Ａ線による断面図である。
【図４】図１の化粧料容器の、蓋体を開放した状態の要部拡大縦断面図である。化粧皿が化粧皿収納部に装着された状態を示している。
【図５】図１の化粧料容器の、蓋体を開放した状態の要部拡大縦断面図である。化粧皿を化粧皿収納部から離脱させる際の状態を示している。
【図６】本発明にかかる化粧料容器の第２実施形態を示す、図３に対応する断面図である。
【図７】本発明にかかる化粧料容器の第３実施形態を示す、図３に対応する断面図である。
【図８】本発明にかかる化粧料容器の第４実施形態を示す、図３に対応する断面図である。
【図９】本発明にかかる化粧料容器の第５実施形態を示す、図３に対応する断面図である。
【符号の説明】
【００３６】
１  化粧料容器
２  化粧皿収納部
３  容器本体
５  蓋体
７  化粧皿
１１  第１係合凹部
１２  第２係合凹部
１３  第１係合突起
１４  第２係合突起
１５  係合片
１６  第１スリット
１７  第２スリット
１８  押圧片
１９  凸部
【図１】
2007014498.tif 000003
【図２】
2007014498.tif 000004
【図３】
2007014498.tif 000005
【図４】
2007014498.tif 000006
【図５】
2007014498.tif 000007
【図６】
2007014498.tif 000008
【図７】
2007014498.tif 000009
【図８】
2007014498.tif 000010
【図９】
2007014498.tif 000011